【手続補正書】
【提出日】平成18年12月7日(2006.12.7)
【手続補正１】
【補正対象書類名】特許請求の範囲
【補正対象項目名】全文
【補正方法】変更
【補正の内容】
【特許請求の範囲】
【請求項１】
音楽情報と、該音楽情報の数より多い数の画像情報を記憶する記憶手段と、
前記音楽情報を再生する音楽情報再生手段と、
前記音楽情報が再生される再生環境に関する環境情報を取得する環境取得手段と、
前記再生手段で再生される音楽情報、及び前記環境取得手段で取得した環境情報に基づいて、前記記憶手段から対応する画像情報を抽出し、再生する画像情報再生手段と、
を備えていることを特徴とするオーディオ装置。
【請求項２】
前記記憶手段は、各音楽情報、又は音楽情報の各種別に、複数の画像情報、又は、複数の画像情報の種別を対応付けて記憶していることを特徴とする請求項１に記載のオーディオ装置。
【請求項３】
前記記憶手段は、各音楽情報、又は音楽情報の各種別に、各再生環境に対応する画像情報、又は画像情報の種別を対応付けて記憶していることを特徴とする請求項１または２に記載のオーディオ装置。
【請求項４】
前記記憶手段は、各音楽情報、又は音楽情報の種別に、１つの環境情報に対して、複数の画像情報、又は、複数の画像情報の種別を対応付けて記憶していることを特徴とする請求項１〜３の何れか一つに記載のオーディオ装置。
【請求項５】
前記画像情報再生手段は、前記環境取得手段で取得した前記環境情報の変更時に、再生する画像情報を切り換えることを特徴とする請求項１〜４の何れか一つに記載のオーディオ装置。
【請求項６】
前記環境情報は、前記音楽情報の再生経過時間、前記音楽情報が再生される領域、前記音楽情報が再生される時間帯、当該オーディオ装置が搭載される車両の走行領域における渋滞情報、前記車両の走行速度及び前記車両の走行予定経路の少なくとも何れかの１つであることを特徴とする請求項１〜５の何れか一つに記載のオーディオ装置。
【請求項７】
当該オーディオ装置が搭載される車両の走行経路を設定するナビゲーション手段を、更に備え、前記環境取得手段は、前記ナビゲーション手段から前記環境情報を取得することを特徴とする請求項１〜６の何れか一つに記載のオーディオ装置。
【請求項８】
前記記憶手段に記憶される音楽情報を音声認識する音声認識手段を、更に備え、
前記記憶手段は、前記音声認識手段の認識結果に基づき、前記記憶される音楽情報、又は前記記憶される音楽情報の種別に、複数の画像情報、又は複数の画像情報の種別を対応付けることを特徴とする請求項１〜７の何れか一つに記載のオーディオ装置。
【手続補正２】
【補正対象書類名】明細書
【補正対象項目名】発明の名称
【補正方法】変更
【補正の内容】
【発明の名称】オーディオ装置
【手続補正３】
【補正対象書類名】明細書
【補正対象項目名】０００１
【補正方法】変更
【補正の内容】
【０００１】
この発明は、自動車に搭載されるオーディオ装置に関し、特に自車両のユーザ（運転者）が選択した音楽と対応した画像をモニタに表示することができるオーディオ装置に関するものである。
【手続補正４】
【補正対象書類名】明細書
【補正対象項目名】０００６
【補正方法】変更
【補正の内容】
【０００６】
この発明は、上述した従来技術における課題を解決するためになされたものであり、自動車に搭載されるオーディオ装置に関し、特に、ユーザ（運転者）が遭遇している状況や環境などに適切に対応した画像情報（映像情報）をモニタに表示することができるオーディオ装置を提供することを目的とする。
【手続補正５】
【補正対象書類名】明細書
【補正対象項目名】０００７
【補正方法】変更
【補正の内容】
【０００７】
上述した課題を解決し、目的を達成するために、請求項１に記載の発明は、音楽情報と、該音楽情報の数より多い数の画像情報を記憶する記憶手段と、前記音楽情報を再生する音楽情報再生手段と、前記音楽情報が再生される再生環境に関する環境情報を取得する環境取得手段と、前記再生手段で再生される音楽情報、及び前記環境取得手段で取得した環境情報に基づいて、前記記憶手段から対応する画像情報を抽出し、再生する画像情報再生手段と、を備えていることを特徴とする。
【手続補正６】
【補正対象書類名】明細書
【補正対象項目名】０００８
【補正方法】変更
【補正の内容】
【０００８】
この請求項１に記載の発明によれば、音楽情報と、該音楽情報の数より多い数の画像情報を記憶する記憶手段と、音楽情報を再生する音楽情報再生手段と、音楽情報が再生される再生環境に関する環境情報を取得する環境取得手段と、音楽情報再生手段で再生される音楽情報、及び前記環境取得手段で取得した環境情報に基づいて、記憶手段から対応する画像情報を抽出し、再生する画像情報再生手段とを備える。
【手続補正７】
【補正対象書類名】明細書
【補正対象項目名】０００９
【補正方法】変更
【補正の内容】
【０００９】
また、請求項２に記載の発明は、請求項１に記載の発明において、前記記憶手段は、各音楽情報、又は音楽情報の各種別に、複数の画像情報、又は、複数の画像情報の種別を対応付けて記憶していることを特徴とする。
【手続補正８】
【補正対象書類名】明細書
【補正対象項目名】００１０
【補正方法】変更
【補正の内容】
【００１０】
この請求項２に記載の発明によれば、記憶手段は、各音楽情報、又は音楽情報の各種別に、複数の画像情報、又は、複数の画像情報の種別を対応付けて記憶する。
【手続補正９】
【補正対象書類名】明細書
【補正対象項目名】００１１
【補正方法】変更
【補正の内容】
【００１１】
また、請求項３に記載の発明は、請求項１または２に記載の発明において、前記記憶手段は、各音楽情報、又は音楽情報の各種別に、各再生環境に対応する画像情報、又は画像情報の種別を対応付けて記憶していることを特徴とする。
【手続補正１０】
【補正対象書類名】明細書
【補正対象項目名】００１２
【補正方法】変更
【補正の内容】
【００１２】
この請求項３に記載の発明によれば、記憶手段は、各音楽情報、又は音楽情報の各種別に、各再生環境に対応する画像情報、又は画像情報の種別を対応付けて記憶する。
【手続補正１１】
【補正対象書類名】明細書
【補正対象項目名】００１３
【補正方法】変更
【補正の内容】
【００１３】
また、請求項４に記載の発明は、請求項１〜３の何れか一つに記載の発明において、前記記憶手段は、各音楽情報、又は音楽情報の種別に、１つの環境情報に対して、複数の画像情報、又は、複数の画像情報の種別を対応付けて記憶していることを特徴とする。
【手続補正１２】
【補正対象書類名】明細書
【補正対象項目名】００１４
【補正方法】変更
【補正の内容】
【００１４】
この請求項４に記載の発明によれば、記憶手段は、各音楽情報、又は音楽情報の各種別に、１つの環境情報に対して、複数の画像情報、又は、複数の画像情報の種別を対応付けて記憶する。
【手続補正１３】
【補正対象書類名】明細書
【補正対象項目名】００１５
【補正方法】変更
【補正の内容】
【００１５】
また、請求項５に記載の発明は、請求項１〜４の何れか一つに記載の発明において、前記画像情報再生手段は、前記環境取得手段で取得した前記環境情報の変更時に、再生する画像情報を切り換えることを特徴とする。
【手続補正１４】
【補正対象書類名】明細書
【補正対象項目名】００１６
【補正方法】変更
【補正の内容】
【００１６】
この請求項５に記載の発明によれば、画像情報再生手段は、環境取得手段で取得した前記環境情報の変更時に、再生する画像情報を切り換えることを特徴とする。
【手続補正１５】
【補正対象書類名】明細書
【補正対象項目名】００１７
【補正方法】変更
【補正の内容】
【００１７】
また、請求項６に記載の発明は、請求項１〜５の何れか一つに記載の発明において、前記環境情報は、前記音楽情報の再生経過時間、前記音楽情報が再生される領域、前記音楽情報が再生される時間帯、当該オーディオ装置が搭載される車両の走行領域における渋滞情報、前記車両の走行速度及び前記車両の走行予定経路の少なくとも何れかの１つであることを特徴とする。
【手続補正１６】
【補正対象書類名】明細書
【補正対象項目名】００１８
【補正方法】変更
【補正の内容】
【００１８】
この請求項６に記載の発明によれば、環境情報は、音楽情報の再生経過時間、音楽情報が再生される領域、音楽情報が再生される時間帯、当該オーディオ装置が搭載される車両の走行領域における渋滞情報、車両の走行速度及び前記車両の走行予定経路の少なくとも何れかの１つとする。
【手続補正１７】
【補正対象書類名】明細書
【補正対象項目名】００１９
【補正方法】変更
【補正の内容】
【００１９】
また、請求項７に記載の発明は、請求項１〜６の何れか一つに記載の発明において、当該オーディオ装置が搭載される車両の走行経路を設定するナビゲーション手段を、更に備え、前記環境取得手段は、前記ナビゲーション手段から前記環境情報を取得することを特徴とする。
【手続補正１８】
【補正対象書類名】明細書
【補正対象項目名】００２０
【補正方法】変更
【補正の内容】
【００２０】
この請求項７に記載の発明によれば、環境取得手段は、オーディオ装置が搭載される車両の走行経路を設定するナビゲーション手段から環境情報を取得する。
【手続補正１９】
【補正対象書類名】明細書
【補正対象項目名】００２１
【補正方法】変更
【補正の内容】
【００２１】
また、請求項８に記載の発明は、請求項１〜７のいずれか一つに記載の発明において、前記記憶手段に記憶される音楽情報を音声認識する音声認識手段を、更に備え、前記記憶手段は、前記音声認識手段の認識結果に基づき、前記記憶される音楽情報、又は前記記憶される音楽情報の種別に、複数の画像情報、又は複数の画像情報の種別を対応付けることを特徴とする。
【手続補正２０】
【補正対象書類名】明細書
【補正対象項目名】００２２
【補正方法】変更
【補正の内容】
【００２２】
この請求項８に記載の発明によれば、記憶手段に記憶される音楽情報を音声認識する音声認識手段を、更に備え、記憶手段は、音声認識手段の認識結果に基づき、記憶される音楽情報、又は前記記憶される音楽情報の種別に、複数の画像情報、又は複数の画像情報の種別を対応付ける。
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】変更
【補正の内容】
【００２７】
請求項１に記載の発明によれば、音楽情報と、該音楽情報の数より多い数の画像情報を記憶する記憶手段と、音楽情報を再生する音楽情報再生手段と、音楽情報が再生される再生環境に関する環境情報を取得する環境取得手段と、音楽情報再生手段で再生される音楽情報、及び前記環境取得手段で取得した環境情報に基づいて、記憶手段から対応する画像情報を抽出し、再生する画像情報再生手段とを備えるので、ユーザ（運転者）が車内で音楽を聴く際に、ユーザ（運転者）による自車両の走行環境に適切に対応したイメージ通りの画像を画像情報再生手段に表示することができるという効果を奏する。
【手続補正２６】
【補正対象書類名】明細書
【補正対象項目名】００２８
【補正方法】変更
【補正の内容】
【００２８】
また、請求項２に記載の発明によれば、記憶手段は、各音楽情報、又は音楽情報の各種別に、複数の画像情報、又は、複数の画像情報の種別を対応付けて記憶することができる。
【手続補正２７】
【補正対象書類名】明細書
【補正対象項目名】００２９
【補正方法】変更
【補正の内容】
【００２９】
また、請求項３に記載の発明によれば、記憶手段は、各音楽情報、又は音楽情報の各種別に、各再生環境に対応する画像情報、又は画像情報の種別を対応付けて記憶することができる。
【手続補正２８】
【補正対象書類名】明細書
【補正対象項目名】００３０
【補正方法】変更
【補正の内容】
【００３０】
また、請求項４に記載の発明によれば、記憶手段は、各音楽情報、又は音楽情報の各種別に、１つの環境情報に対して、複数の画像情報、又は、複数の画像情報の種別を対応付けて記憶することができる。
【手続補正２９】
【補正対象書類名】明細書
【補正対象項目名】００３１
【補正方法】変更
【補正の内容】
【００３１】
また、請求項５に記載の発明によれば、画像情報再生手段は、環境取得手段で取得した前記環境情報の変更時に、再生する画像情報を切り換えることができ、これにより、自車両の走行領域が切り換わる場合に、音楽情報に対する画像情報の対応付けを正確におこなうことができるという効果を奏する。
【手続補正３０】
【補正対象書類名】明細書
【補正対象項目名】００３２
【補正方法】変更
【補正の内容】
【００３２】
また、請求項６に記載の発明によれば、環境情報は、音楽情報の再生経過時間、音楽情報が再生される領域、音楽情報が再生される時間帯、当該オーディオ装置が搭載される車両の走行領域における渋滞情報、車両の走行速度及び前記車両の走行予定経路の少なくとも何れかの１つとすることができる。
【手続補正３１】
【補正対象書類名】明細書
【補正対象項目名】００３３
【補正方法】変更
【補正の内容】
【００３３】
また、請求項７に記載の発明によれば、環境取得手段は、オーディオ装置が搭載される車両の走行経路を設定するナビゲーション手段から環境情報を取得することができるので、ナビゲーション手段により設定された走行目的地に基づいて、音楽情報に対する画像情報の対応付けを正確におこなうことができるという効果を奏する。
【手続補正３２】
【補正対象書類名】明細書
【補正対象項目名】００３４
【補正方法】変更
【補正の内容】
【００３４】
また、請求項８に記載の発明によれば、記憶手段に記憶される音楽情報を音声認識する音声認識手段を、更に備え、記憶手段は、音声認識手段の認識結果に基づき、記憶される音楽情報、又は記憶される音楽情報の種別に、複数の画像情報、又は複数の画像情報の種別を対応付けることができるので、音楽情報、又は記憶される音楽情報の種別や複数の画像情報の種別に対応付けたイメージ通りの画像を画像情報再生手段に表示することができるという効果を奏する。
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】変更
【補正の内容】
【００３７】
以下に、添付図面を参照して、この発明に係るオーディオ装置の好適な実施例を詳細に説明する。なお、以下に示す実施例１では、本発明に係るオーディオ装置を含む車載用オーディオシステムの概要および特徴を説明した後に、このオーディオ装置の構成および機能の詳細を説明する。なお、以下に示す各実施例１〜２によりこの発明が限定されるものではない。
【手続補正３６】
【補正対象書類名】明細書
【補正対象項目名】００３８
【補正方法】変更
【補正の内容】
【００３８】
先ず、図１を用いて、本実施例１に係るオーディオ装置を有する車載用オーディオシステムの特徴及び構成を説明する。図１は、本実施例１に係る車載用オーディオシステムの全体構成を示す機能ブロック図である
ではない。
【手続補正３７】
【補正対象書類名】明細書
【補正対象項目名】００７２
【補正方法】変更
【補正の内容】
【００７２】
以上説明したように、本発明の実施例１に係るオーディオ装置によれば、ユーザ（自車両の運転者）が選択した音楽情報に対応する適切な画像情報（映像）を自動的に抽出し、モニタ６００に表示することができ、さらに、自車両による走行時間帯、出勤時、帰宅時などナビゲーションシステム（カーナビ）の利用により取得されたシュチュエーション（運転状態）に基づいて、音楽情報に対応する画像情報を設定するので、ユーザにとって最も好適な画像情報をモニタ６００に表示させることができる。
【手続補正３８】
【補正対象書類名】明細書
【補正対象項目名】００７３
【補正方法】変更
【補正の内容】
【００７３】
次に、本発明のオーディオ装置に係る実施例２について説明する。図１６は、実施例２における車載用のオーディオ装置１１０を含む車載用のオーディオシステム１００ａの全体機能ブロック図を示している。なお、以下の説明において、前述した実施例１と同様の構成要素については、同一の符号を付して、その詳細な説明は省略する。なお、この本実施例２において、前述した実施例１との相違は、音楽画像情報処理部２００ａを構成する各構成要素以外は、前述した実施例１と同様であるため、この点において、符号が一致する詳細な説明は省略する。
【手続補正３９】
【補正対象書類名】明細書
【補正対象項目名】００８０
【補正方法】変更
【補正の内容】
【００８０】
以上説明したように、本発明の実施例２に係るオーディオ装置によれば、音楽画像情報処理部２００ａは、音楽情報を認識する音楽情報認識部２３０と画像情報を認識する画像情報認識部２４０とを備えているので、これら音楽情報認識部２３０および画像情報認識部２４０により認識された認識情報に基づいて、キーワードを探索／抽出することにより、音楽情報に対する画像情報の再生を制御するので、ユーザ（運転者）が車内で音楽を聴く際に、運転状況に適切に対応したイメージ通りの画像を、より正確にモニタ６００に表示することができる。
ではない。
【手続補正４０】
【補正対象書類名】明細書
【補正対象項目名】００８１
【補正方法】変更
【補正の内容】
【００８１】
以上のように、本発明に係るオーディオ装置は、自動車に搭載されるオーディオ装置に有用であり、特に、音楽視聴時のイメージ通りの画像をモニタに表示することができるオーディオ装置に適している。